(57)【要約】【課題】ガラス基板の収納あるいは取り出しを容易にするとともに、ガラス基板を保護する収納ケースを瞬時に開放或いは閉鎖することができる積層ガラス体の収納ケースを提供すること。【解決手段】積層ガラス体の覆い体６が、前面部に開閉自在の膜体Ｓを有したスライドカバー６ａ，６ｂ，６ｃで構成され、背受け体４に向かって移動した場合は縮小し、背受け体４より離反方向に移動した場合には伸長して積層ガラス体Ｇを密閉収納するよう構成されているので、ガラス基板５の収納或いは取り出しが容易である。【選択図】  図２
2005022685.tif 000002
【特許請求の範囲】
【請求項１】
載置台の上に複数のガラス基板を載せ、背受け体に立て掛けて積層配列した積層ガラス体を一体に拘束して密閉収納する収納ケースであって、前記積層ガラス体は、上面部と左右側面部及び背受け体側の後面部から成る覆い体と該覆い体を滑動自在に支持する載置台とにより囲繞され、該覆い体の前面部は開閉自在の膜体を有し、且つ前記覆い体は背受け体に向かって移動した場合は折り畳まれ、背受け体より離反方向に移動した場合には伸長して積層ガラス体を密閉収納することを特徴とする積層ガラス体の収納ケース。
【請求項２】
前記覆い体は上面部と左右側面部が蛇腹で構成されている請求項１に記載の積層ガラス体の収納ケース。
【請求項３】
前記覆い体は、断面形状において下方が開放したコ字状の複数の分割片で構成され、各分割片が相互に入れ子式となっている請求項１に記載の積層ガラス体の収納ケース。
【請求項４】
前記覆い体が伸長して積層ガラス体を密閉収納している場合は、覆い体の滑動を拘束する手段が設けられている請求項１ないし３の何れかに記載の積層ガラス体の収納ケース。
【請求項５】
前記拘束する手段は、前記覆い体前面部下方を嵌合可能な前記載置台前方に形成した嵌合穴である請求項４に記載の積層ガラス体の収納ケース。
【請求項６】
前記拘束する手段は、前記覆い体前面部下方に設けた作動ピンと、該ピンと嵌合可能な前記載置台前方に形成した嵌合穴である請求項４に記載の積層ガラス体の収納ケース。
【請求項７】
前記載置台は積層ガラス体を傾斜保持するための傾斜保持体を有し、該保持体と背受け体は直交するように配置されている請求項１ないし６の何れかに記載の積層ガラス体の収納ケース。
【発明の詳細な説明】
【０００１】
【発明の属する技術分野】
本発明は、載置台の上に複数のガラス基板を載せ、背受け体に立て掛けて積層配列した積層ガラス体を密閉収納する収納ケースに関する。
【０００２】
【従来の技術】
従来、素材ガラス、液晶表示用ガラス基板、プラズマ表示用ガラス基板、ハイブリッドＩＣセラミックベース架台、ウェハなどの各種のベース架台、あるいはこれらベース架台を用いて製造した完成パネル等（以下単に「ガラス基板」という）を、例えばガラスメーカからデバイスメーカにトラック等の車両で輸送し、その後工場内に搬入する場合に、輸送中の振動や衝撃から保護するために収納ケースに形成した複数の支持溝にガラス基板をはめ込み、最後に蓋をして外部から塵や埃がガラス基板に付着しないようにして保管、輸送並びに運搬を行うようにしていた。（特許文献１，２参照）。そして、ガラス基板を収納あるいは取り出す際は、蓋を取り外した状態にして、ケースに形成された複数の支持溝にガラス基板を１枚１枚差し入れ、或いは支持溝より抜き出すようにしていた。
【０００３】
【特許文献１】
特開平７−３０９３８５号公報（図１、２）
【特許文献２】
特開平１１−７９２７６号公報（図１）
【０００４】
【発明が解決しようとする課題】
このような従来の収納ケースは、収納あるいは取り出し部が蓋を取り外した上方部に限定されているためその作業空間が制約され、ロボットによるハンドリング時に上方から下方にガラス基板を差し入れ、或いはその逆に下方から上方に抜き出さなければならないという不都合があった。
【０００５】
本発明は、このような問題点に着目してなされたもので、ガラス基板の収納あるいは取り出しを容易にするとともに、緩衝材を用いることなくガラス基板を保護する収納ケースを瞬時に開放或いは閉鎖することができる積層ガラス体の収納ケースを提供することを目的とする。
【０００６】
【課題を解決するための手段】
上記課題を解決するために、本発明の積層ガラス体の収納ケースは、載置台の上に複数のガラス基板を載せ、背受け体に立て掛けて積層配列した積層ガラス体を一体に拘束して密閉収納する収納ケースであって、前記積層ガラス体は、上面部と左右側面部及び背受け体側の後面部から成る覆い体と該覆い体を滑動自在に支持する載置台とにより囲繞され、該覆い体の前面部は開閉自在の膜体を有し、且つ前記覆い体は背受け体に向かって移動した場合は折り畳まれ、背受け体より離反方向に移動した場合には伸長して積層ガラス体を密閉収納することを特徴としている。
この特徴によれば、支持溝を収納ケースに設ける必要がなく、しかも前面部が幕体により開放できるので、ガラス基板の収納あるいは取り出しが容易であり、また覆い体を前後に滑動させるだけで、収納ケースの開閉が可能である。
【０００７】
本発明の積層ガラス体の収納ケースにおいて、前記覆い体は上面部と左右側面部が蛇腹で構成されていることが好ましい。
このようにすれば、覆い体が蛇腹で構成されているので密封性がよく、かつ軽量化したケースを提供できる。
【０００８】
本発明の積層ガラス体の収納ケースにおいて、前記覆い体は、断面形状において下方が開放したコ字状の複数の分割片で構成され、各分割片が相互に入れ子式となっていることが好ましい。
このようにすれば、断面形状がコ字状であるので積層ガラス体を外部の障害物から保護することができる。
【０００９】
本発明の積層ガラス体の収納ケースにおいて、前記覆い体が伸長して積層ガラス体を密閉収納している場合は、覆い体の滑動を拘束する手段が設けられていることが好ましい。
このようにすれば、輸送中の振動によって覆い体が開放してしまうようなことが起きない。
【００１０】
本発明の積層ガラス体の収納ケースにおいて、前記拘束する手段は、前記覆い体前面部下方を嵌合可能な前記載置台前方に形成した嵌合穴であることが好ましい。
このようにすれば、覆い体を前方に引出すことで覆い体前面部下方が嵌合穴で嵌合できるから、収納ケースの閉鎖作業が楽に行える。
【００１１】
本発明の積層ガラス体の収納ケースにおいて、前記拘束する手段は、前記覆い体前面部下方に設けた作動ピンと、該ピンと嵌合可能な前記載置台前方に形成した嵌合穴であることが好ましい。
このようにすれば、作動ピンと嵌合穴の使用により、収納ケースの閉鎖状態をより確実に維持できる。
【００１２】
本発明の積層ガラス体の収納ケースにおいて、前記載置台は積層ガラス体を傾斜保持するための傾斜保持体を有し、該保持体と背受け体は直交するように配置されていることが好ましい。
このようにすれば、背受け体近傍のガラス基板に局部的な応力が掛かることが防げる。
【００１３】
【発明の実施の形態】
図１は本発明の一実施形態に係り、覆い体を閉じた状態を示す積層ガラス体収納ケースの斜視図、図２は覆い体を開放した状態を示す積層ガラス体収納ケースの斜視図、図３は覆い体を閉じた状態を示す積層ガラス体収納ケースの断面図であり、図４は覆い体前面部の門形枠体の滑動を拘束する際の動作説明図である。
【００１４】
図１、図２に示すように、１は積層ガラス体Ｇの収納ケースであって、この収納ケース１は、載置台２の上に複数のガラス基板５を載せ、背受け体４に立て掛けて積層配列した積層ガラス体Ｇを密閉収納すべく、積層ガラス体Ｇは、上面部８と左右側面部１０ａ，１０ｂ及び背受け体４側の後面部１２から成る覆い体６と、この覆い体６を滑動自在に支持する載置台２とにより囲繞され、覆い体６の前面部１４は開閉自在の膜体Ｓを有している。
【００１５】
載置台２は、前面に一対のフォーク差込口Ｈが設けられて有り、複数のガラス基板５を傾斜状に立て掛けて積層配列した積層ガラス体Ｇの底面部を傾斜保持すべく後方に向けて下り傾斜で支持された傾斜保持板３Ａと、この傾斜保持板３Ａの支持面に平行に列設された３本の帯板材（例えば硬質ゴム板）３ａ，３ｂ，３ｃとから成る傾斜保持体３が構成されている。この積層ガラス体Ｇの底面は傾斜保持板３Ａを用いずに直接載置台２に支持させるようにしてもよい。
【００１６】
一方、背受け体４は載置台２の後端に下端が取付けられると共に上端が載置台２に立設装架した支柱（図示せず）間に横架した横梁１３と、支持面にそれぞれ硬質ゴム板Ｔを貼り付けた３本の背板１５ａ，１５ｂ，１５ｃから成り、傾斜保持体３と背受け体４は互いにほぼ直交するように構成されている。このように、直交するように構成することで、背受け体４近傍のガラス基板５下部に局部的な応力が掛かることが防げる。
【００１７】
更に、積層ガラス体Ｇは、載置台２上面の傾斜した傾斜保持板３Ａ上面に列設した３本の帯板材３ａ，３ｂ，３ｃを介して下端が支持されると共に背面側が背受け体４に傾斜状に立て掛けて支持され、外周を横方向に巻回保持すべく、連結具１８を備えた２本のベルト１６の端部が両側の背板１５ａ，１５ｃに固定されている。
【００１８】
次に、収納ケースとなる覆い体６は、図１〜図３に示すように下方が開放した断面コ字状の分割片として３組のスライドカバー６ａ，６ｂ，６ｃから構成され、各スライドカバー６ａ，６ｂ，６ｃが相互に入れ子式に密封状態で伸縮可能に連結されていて載置台２の上面に前後方向に滑動自在に支持されている。
【００１９】
覆い体６の前面部１４であって、前方に配置されるスライドカバー６ａの前端には下方が開放したコ字状の門形枠体１７が装着され、この門形枠体１７は、図３，図４で示すように、スライドカバー６ａ前端の開口する両側枠に垂直に固定されたＬ字形の鋼材で構成される一対の支持枠２０に所定範囲で上下に移動可能に取付けられており、両側枠前面にはコ字形の取っ手１９が設けられている。
【００２０】
詳しくは、門形枠体１７の両側枠は、一対の支持枠２０に上下に向けて形成された３個の長孔２２に挿通したボルトＢにより上下方向移動可能に支持されており、門形枠体１７上端の横枠の直下には、覆い体６の前面部１４を覆う膜体Ｓを巻回して出し入れ自在に収容する収容筒体Ｃが装着されている。
【００２１】
膜体Ｓは、例えば布状の織物とビニルシートを貼着し所定の強度を備えた可撓性を有するシート材であって、その下端にはシート材の両幅より外方に延出された端部が門形枠体１７両側の対向面に上下方向に形成された縦溝１７ａ（図３参照）に案内係止される係止部２６ａ，２６ｂ（図１参照）となる横枠２６が設けられ、図３に示すように、縦溝１７ａの下端には係止部２６ａ，２６ｂを係止状態に保持する横溝１７ｂが形成されると共に、膜体Ｓ前面の横枠２６中間には把持部２４が取付けられている。
【００２２】
更に膜体Ｓは、シート材が収容筒体Ｃ内部に引き込み方向に弾力的に付勢状態で巻回されて収納されており、覆い体６の前面部１４を覆う際は把持部２４を把持して付勢力に抗しつつ下方に引き出されるように構成されている。
【００２３】
スライドカバー６ａの前端に固定された門形枠体１７の両側枠下端には、図１に示すように、載置台２の上面に前後方向に向けて形成された一対のガイド溝２８ａ，２８ｂによって案内支持されるガイドローラＲが軸支されており、ガイド溝２８ａ，２８ｂの前端には両ガイドローラＲの滑動を落下により拘束して停止させる手段となる所定深さの嵌合穴３０がガイド溝２８ａ，２８ｂと傾斜溝を介して連通するように形成されている。
【００２４】
また、図３に示すように、最後端のスライドカバー６ｃは、載置台２の後方端部に立設支持した収容枠体２５に密封状態で摺動可能に支持されている。収容枠体２５の後方端部には全面に亘って覆い板２５ａが張り付けられている。
【００２５】
前方に配置されるスライドカバー６ａの後方には、スライドカバー６ｂ，６ｃが相互に入れ子式に密封状態で伸縮可能に連結されており、３組のスライドカバー６ａ，６ｂ，６ｃを開放する際に、後方に移動する過程で相互に入れ子式に内部に入り込んで縮小した各スライドカバー６ａ，６ｂ，６ｃは門形の収容枠体２５に収められる。
【００２６】
覆い板２５ａは収容枠体２５に設けられているが、この覆い板２５ａを設けずにスライドカバー６ａ，６ｂ，６ｃが通過できる開放型とし、最後端のスライドカバー６ｃに閉鎖蓋を設けるようにしてもよい。この場合、スライドカバー６ｃは収容枠体２５に対して所定位置で停止できるストッパー体を設けるようにする。
【００２７】
各スライドカバー６ａ，６ｂ，６ｃ前端上面の両側には一対の係止片３５が突設していると共に、各スライドカバー６ａ，６ｂ，６ｃ後端側の上面部ないし左右側面部周囲には係止枠３２ａ，３２ｂ，３２ｃが突設されており、収容枠体２５と各スライドカバー６ａ，６ｂ，６ｃ上面部ないし左右側面部の前端側に形成された内側の折曲げ部３４の内側周囲にはシール材となるフェルトＦが固定され、各スライドカバー６ａ，６ｂ，６ｃが背受け体４より離反方向に移動して伸長した際に係止枠３２ａ，３２ｂ，３２ｃがフェルトＦを介して折曲げ部３４に当接することで、それぞれの連結部周囲がシールされるようになっている。
【００２８】
更に、スライドカバー６ａ，６ｂの下端縁前方の両側にはそれぞれ一対の支持ローラｒが軸支されており、後端のスライドカバー６ｃ下端両側には前後に４個の支持ローラｒが軸支されており、各スライドカバー６ａ，６ｂ，６ｃの両下端縁にはシール材となるフェルトＦが固定され各スライドカバー６ａ，６ｂ，６ｃの両下端縁と載置台２の上面とで形成される隙間がシールされている。
【００２９】
次に、載置台に載置された積層ガラス体を密閉収納する収納ケースの機能に付き図１〜図４を参照して詳述する。
【００３０】
例えば、複数のガラス基板をガラスメーカからデバイスメーカにトラック等の車両で輸送するために、複数のガラス基板５を載置台２上に載置するに際し、載置台２上の覆い体６は大きく開放された状態となっている。
【００３１】
すなわちこの状態は、図２に示すように、収納ケース１を構成する覆い体６のスライドカバー６ａ，６ｂ，６ｃは、後方へ移動して相互に入れ子式に縮小された状態で門形の収容枠体２５の内部に収容されている。
【００３２】
そこで、複数のガラス基板５は、傾斜保持板３Ａ上の帯板材３ａ，３ｂ，３ｃ上に載置されて、傾斜保持体３に直交する３本の傾斜した背板１５ａ，１５ｂ，１５ｃの硬質ゴム板Ｔに面接触状態で立て掛けられる。そして、複数のガラス基板５を傾斜状態で積層配列した積層ガラス体Ｇを、上下に配置される２本のベルト１６により連結具１８を介して結束する。この傾斜保持体３と背受け体４は直交するように配置されているので、背受け体近傍のガラス基板に局部的な応力が掛かることが防げる。
【００３３】
積層ガラス体Ｇがベルト１６により結束された後、門形枠体１７が取っ手１９を把持して前方に引出されると、ガイドローラＲがガイド溝２８ａ，２８ｂに案内されて前方に移動すると共に、３組のスライドカバー６ａ，６ｂ，６ｃが係止枠３２ａ，３２ｂ，３２ｃとフェルトＦを介して折曲げ部３４との係止により収容枠体２５の内部から引出されて次々に係合して前方に移動する。
【００３４】
門形枠体１７が前方に移動操作されて左右のガイドローラＲが、一対のガイド溝２８ａ，２８ｂに案内されて所定深さの嵌合穴３０の位置まで到達すると、ガイドローラＲが落下する動作で門形枠体１７は支持枠２０に形成された３個の長孔２２にガイドされて自重により下方に移動する。
【００３５】
これにより、門形枠体１７が位置決めされるとスライドカバー６ａ，６ｂ，６ｃが図３に示されるように伸長した状態となり、各スライドカバー６ａ，６ｂ，６ｃにより形成される隙間はフェルトＦにより確実にシールされる。
【００３６】
次いで、把持部２４を把持して膜体Ｓを付勢力に抗して収容筒体Ｃの内部から下方に引出すことでスライドカバー６ａ前端の開口側がシール部材により閉塞され、膜体Ｓと接触する両側枠ないし上枠の前面は図示しないシール部材によりシールされ、膜体Ｓ下端の係止部２６ａ，２６ｂが縦溝１７ａに案内されて下降端に移動したところで縦溝１７ａ下端の横溝１７ｂに係止され膜体Ｓの閉塞状態が保持される。このようにして、複数のガラス基板５を傾斜状に立て掛けて積層配列した積層ガラス体Ｇは、収納ケース１内に密閉収納される。
【００３７】
次に、覆い体６を開放する際は、把持部２４を把持して横溝１７ｂに係止している係止部２６ａ，２６ｂを解除することで、付勢力の作用で膜体Ｓが上方に移動して収容筒体Ｃ内に収容される。
【００３８】
これにより、スライドカバー６ａの前端が開口された状態で取っ手１９を把持し門形枠体１７を上方に持上げることでガイドローラＲは、嵌合穴３０から離脱して一対のガイド溝２８ａ，２８ｂに支持される。
【００３９】
次いで、門形枠体１７を一対のガイド溝２８ａ，２８ｂに沿って後方に移動させるとスライドカバー６ａ，６ｂ，６ｃは、次々と前端側の折曲げ部３４が一対の係止片３５に当接しつつ相互に入れ子状に縮小されて収容枠体２５の内部に収容され、覆い体６は大きく開放されることとなり内部の積層ガラス体Ｇが露呈される。これにより積層ガラス体Ｇをロボットのハンドリング等により取り出すときも、前方が大きく広がっているので作業がし易い。
【００４０】
従って、このように構成された積層ガラス体Ｇの収納ケース１によれば、スライドカバー６ａ，６ｂ，６ｃが背受け体４に向かって移動した場合は縮小し、背受け体４より離反方向に移動した場合にはスライドカバー６ａ，６ｂ，６ｃが伸長して積層ガラス体Ｇを密閉収納するよう構成されているので、従来のように、支持溝を収納ケースに設ける必要がなく、しかもスライドカバー６ａの前面開口部が膜体Ｓ  により開放できるので、ガラス基板５の収納あるいは取り出しが容易であり、またスライドカバー６ａ，６ｂ，６ｃを前後に滑動させるだけで、収納ケース１の開閉が即座に可能となる。
【００４１】
また、スライドカバー６ａ，６ｂ，６ｃは、断面形状において下方が開放したコ字状の複数の分割片で構成され、各分割片が相互に入れ子式に構成されているので、積層ガラス体Ｇを外部の障害物から保護することができる。
【００４２】
更に、スライドカバー６ａ，６ｂ，６ｃが伸長して積層ガラス体Ｇを密閉収納している場合は、スライドカバー６ａ，６ｂ，６ｃ前端に設けられた門形枠体１７下端のガイドローラＲを嵌合穴３０に嵌合することで滑動が拘束されるので、搬送中の振動によってスライドカバー６ａ，６ｂ，６ｃが開放してしまうようなことはない。
【００４３】
次に、収納ケースの覆い体の滑動を拘束する手段に係る変形例に付き図５および図６を参照して説明する。図５は変形例となる拘束手段を備えた門形枠体の一部を示す部分斜視図であり、図６は図５の部分拡大斜視図である。尚、上記実施形態の構成部分と同一構成部分は同一符号を付して重複する説明を省略する。
【００４４】
本変形例となる門形枠体１７は、略同一構造に構成されていてその両側下方前面には、縦方向の長孔３６が形成されてその上端には長孔３６に連通する横長の係止溝３６ａが形成されている。
【００４５】
そして、門形枠体１７の断面四角形の筒状に形成された両側枠内部には作動ピン４０が収容されており、これら作動ピン４０は、その上端から横方向に突設し先端に摘みを備えた係止片３８が係止溝３６ａに係止可能であると共に縦方向の長孔３６に案内されて上下動可能に支持されている。
【００４６】
また、門形枠体１７が前方に位置している場合において、作動ピン４０に対応して載置台２の上面にはこれら両作動ピン４０を嵌合するための一対の係止穴４２が形成されている。
【００４７】
ここで、両係止穴４２の穴位置は、門形枠体１７がガイド溝２８ａ，２８ｂに案内されて前方に引出されて、ガイドローラＲがガイド溝２８ａ，２８ｂの先端に当接して停止した際の両作動ピン４０に対応する位置に配置されるようになっている。
【００４８】
従って、門形枠体１７を前後に移動する際は、両作動ピン４０は係止片３８が係止溝３６ａに係止した状態で上方に保持されており、門形枠体１７を前方に移動させて載置台２上の積層ガラス体Ｇがスライドカバー６ａ，６ｂ，６ｃにより密閉収納された状態で、係止片３８を係止溝３６ａから離脱すると両作動ピン４０は下方に移動して両係止穴４２に嵌合する。
【００４９】
次に、両係止穴４２に嵌合している両作動ピン４０の係止片３８を摘んで上方に引き上げて係止穴４２から両作動ピン４０を抜き出し、係止片３８を係止溝３６ａに係止させることで、門形枠体１７の拘束が解除されるので載置台２上のスライドカバー６ａ，６ｂ，６ｃを開放するための操作が可能になる。
【００５０】
従って、上記のような変形例を採用することで、両作動ピン４０と係止穴４２の使用により、収納ケース１の閉鎖状態をより確実に維持できる。
【００５１】
尚、前記の実施形態では、覆い体を下方が開放した断面コ字状の分割片として３組のスライドカバー６ａ，６ｂ，６ｃで構成した例に付き説明したが、この覆い体を上面部と左右側面部を蛇腹で構成することも可能であり、このようにすれば密封性がよく、かつ軽量化した収納ケースとして提供することができる。
【００５２】
【発明の効果】
本発明は以下の効果を奏する。
【００５３】
（ａ）請求項１項の発明によれば、支持溝を収納ケースに設ける必要がなく、しかも前面部が幕体により開放できるので、ガラス基板の収納あるいは取り出しが容易であり、また覆い体を前後に滑動させるだけで、収納ケースの開閉が可能である。
【００５４】
（ｂ）請求項２項の発明によれば、覆い体が蛇腹で構成されているので密封性がよく、かつ軽量化したケースを提供できる。
【００５５】
（ｃ）請求項３項の発明によれば、断面形状がコ字状であるので積層ガラス体を外部の障害物から保護することができる。
【００５６】
（ｄ）請求項４項の発明によれば、輸送中の振動によって覆い体が開放してしまうようなことが起きない。
【００５７】
（ｅ）請求項５項の発明によれば、覆い体を前方に引出すことで覆い体前面部下方が嵌合穴で嵌合できるから、収納ケースの閉鎖作業が楽に行える。
【００５８】
（ｆ）請求項６項の発明によれば、作動ピンと嵌合穴の使用により、収納ケースの閉鎖状態をより確実に維持できる。
【００５９】
（ｇ）請求項７項の発明によれば、背受け体近傍のガラス基板に局部的な応力が掛かることが防げる。
【図面の簡単な説明】
【図１】本発明の一実施形態に係り、覆い体を開放した状態を示す積層ガラス体収納ケースの斜視図である。
【図２】覆い体を閉じた状態を示す積層ガラス体収納ケースの斜視図である。
【図３】覆い体を閉じた状態を示す積層ガラス体収納ケースの断面図である。
【図４】覆い体前面部の門形枠体の滑動を拘束する際の動作説明図である。
【図５】変形例となる拘束手段を備えた門形枠体の一部を示す部分斜視図である。
【図６】図５の部分拡大斜視図である。
【符号の説明】
１                      収納ケース
２                      載置台
３                      傾斜保持体
３Ａ                    傾斜保持板
３ａ，３ｂ，３ｃ        帯板材
４                      背受け体
５                      ガラス基板
６                      覆い体
６ａ，６ｂ，６ｃ        スライドカバー（断面コ字状の分割片）
８                      上面部
１０ａ，１０ｂ          左右側面部
１２                    後面部
１３                    横梁
１４                    前面部
１５ａ，１５ｂ，１５ｃ  背板
１６                    ベルト
１７                    門形枠体
１７ａ                  縦溝
１７ｂ                  横溝
１８                    連結具
１９                    取っ手
２０                    支持枠
２２                    長孔
２４                    把持部
２５                    収容枠体
２５ａ                  覆い板
２６                    横枠
２６ａ，２６ｂ          係止部
２８ａ，２８ｂ          ガイド溝
３０                    嵌合穴
３２ａ，３２ｂ，３２ｃ  係止枠
３４                    折曲げ部
３５                    係止片
３６                    長孔
３６ａ                  係止溝
３８                    係止片
４０                    作動ピン
４２                    係止穴
Ｂ                      ボルト
Ｃ                      収容筒体
Ｆ                      フェルト
Ｇ                      積層ガラス体
Ｈ                      フォーク差込口
Ｒ                      ガイドローラ
ｒ                      支持ローラ
Ｓ                      膜体
Ｔ                      硬質ゴム板
【図１】
2005022685.tif 000003
【図２】
2005022685.tif 000004
【図３】
2005022685.tif 000005
【図４】
2005022685.tif 000006
【図５】
2005022685.tif 000007
【図６】
2005022685.tif 000008